(57)【要約】【課題】、洗浄水を完全に排水した時点を検出することで、ポンプの空転を防止することが可能な食器洗浄装置を提供する。【解決手段】食器洗浄装置１は、食器類Ｗを収容する洗浄槽３と、洗浄槽３内にて洗浄水を噴射する洗浄ノズル１３と、洗浄ノズルに洗浄水を供給し、かつ洗浄槽３内から洗浄水を排水する洗浄・排水ポンプ１６と、洗浄・排水ポンプ１６のポンプ制御部２６と、洗浄・排水ポンプ１６の動作に応じて生じる振動を検出する振動センサ２４と、振動センサ２４が検出した振動を示す態様と予め定められた振動の態様の範囲とを比較する比較部３１とを備え、ポンプ制御部２６が洗浄・排水ポンプ１６の動作を開始した後、比較部３１によって振動センサ２４が検出した態様が定められた波振動の態様の範囲外となったと判定されたとき、ポンプ制御部２６は洗浄・排水ポンプ１６の動作を停止する。【選択図】図１
2018175310.tif 000002
【特許請求の範囲】
【請求項１】
食器類を収容する洗浄槽と、
前記洗浄槽内にて洗浄水を噴射する洗浄ノズルと、
前記洗浄ノズルに洗浄水を供給し、かつ前記洗浄槽内から前記洗浄水を排水する給排水ポンプを含む振動発生源と、
前記振動発生源の動作を制御する制御手段と、
前記振動発生源の動作に応じて生じる弾性波振動を検出する振動検出手段と、
前記振動検出手段が検出した弾性波振動を示す態様と予め定められた弾性波振動の態様の範囲とを比較する比較手段とを備え、
前記制御手段が前記給排水ポンプの動作を開始した後、前記比較手段によって前記振動検出手段が検出した態様が前記定められた弾性波振動の態様の範囲外となったと判定されたとき、前記制御手段は、前記給排水ポンプの動作を停止することを特徴とする食器洗浄装置。
【請求項２】
前記振動検出手段が検出した弾性波振動を示す態様と予め定められた正常な弾性波振動の態様の範囲とを比較する正常比較手段と、
異常を報知する報知手段とを備え、
前記正常比較手段によって前記振動検出手段が検出した弾性波振動の態様が前記予め定められた正常な弾性波振動の態様の範囲外であると判定されたとき、前記報知手段は前記異常を報知することを特徴とする請求項１に記載の食器洗浄装置。
【請求項３】
前記振動発生源は前記洗浄槽内に乾燥用空気を送風する乾燥ファンを含み、
前記制御手段が前記乾燥ファンの動作を開始した後、前記正常比較手段によって前記振動検出手段が検出した弾性波振動の態様が前記乾燥ファンに対応して予め定められた正常な弾性波振動の態様の範囲外であると判定されたとき、前記報知手段は前記異常を報知することを特徴とする請求項２に記載の食器洗浄装置。
【請求項４】
前記振動発生源は、前記洗浄槽内に前記洗浄水を供給する給水管に設けられ、前記給水管を開閉可能な給水弁を含み、
前記制御手段が前記給水弁の開状態に動作をした後、前記比較手段によって前記振動検出手段が検出した弾性波振動の態様が前記給水弁に対応して予め定められた正常な弾性波振動の態様の範囲外であると判定されたとき、前記報知手段は前記異常を報知することを特徴とする請求項２又は３に記載の食器洗浄装置。
【請求項５】
前記洗浄ノズルは前記給排水ポンプから洗浄水を供給されることにより、前記洗浄水を噴射しながら回転するように構成されており、
前記正常比較手段によって前記振動検出手段が検出した態様が前記洗浄ノズルに対応して予め定められた正常な弾性波振動の態様の範囲外であると判定されたとき、前記報知手段は前記異常を報知することを特徴とする請求項２から４の何れか１項に記載の食器洗浄装置。
【請求項６】
前記制御手段が１の前記振動発生源と他の前記振動発生源の動作を同時に開始しないことを特徴とする請求項１から５の何れか１項に記載の食器洗浄装置。
【請求項７】
食器類を収容する洗浄槽と、
前記洗浄槽内にて洗浄水を噴射する洗浄ノズルと、
複数の振動発生源と、
前記振動発生源の動作を制御する制御手段と、
前記振動発生源の動作に応じて生じる弾性波振動を検出する振動検出手段と、
前記振動検出手段が検出した弾性波振動に応じて前記振動発生源が動作していると判断する動作判断手段とを備え、
前記制御手段は、前記複数の振動発生源の動作を１つずつ開始し、前記動作判断手段が前記振動検出手段が検出した弾性波振動に応じて動作開始したとされる振動発生源が動作しているか否か判断することを特徴とする食器洗浄装置。
【発明の詳細な説明】
【技術分野】
【０００１】
本発明は、振動検出手段を備える食器洗浄装置に関する。
【背景技術】
【０００２】
従来から、食器洗浄装置においては、食器の洗浄が終了した後、洗浄水を排水している。
【０００３】
特許文献１には、洗浄槽内の洗浄水の水位を検知する水位センサを設け、洗浄工程が終了した後に洗浄ポンプを動作させたまま排水を行う洗浄排水工程を、水位センサが洗浄水の水位が所定の水位になったことを検知するまで、又は検知してから所定時間経過するまでなどの間継続した後、洗浄ポンプを停止して、残りの洗浄水を排水することが開示されている。
【先行技術文献】
【特許文献】
【０００４】
【特許文献１】特開平７−５９７０９号公報
【発明の概要】
【発明が解決しようとする課題】
【０００５】
しかし、特許文献１に記載された技術では、洗浄水を完全に排水した時点を検出することは行われていなかった。また、洗浄水が完全に排水された後もポンプを動作させるおそれがあり、空転による騒音発生やポンプの短寿命化という問題があった。
【０００６】
上記の点に鑑み、本発明は、洗浄水を完全に排水した時点を検出することで、ポンプの空転を防止することが可能な食器洗浄装置を提供することを目的とする。
【課題を解決するための手段】
【０００７】
かかる目的を達成するために、第１の本発明は、食器類を収容する洗浄槽と、前記洗浄槽内にて洗浄水を噴射する洗浄ノズルと、前記洗浄ノズルに洗浄水を供給し、かつ前記洗浄槽内から前記洗浄水を排水する給排水ポンプを含む振動発生源と、前記振動発生源の動作を制御する制御手段と、前記振動発生源の動作に応じて生じる弾性波振動を検出する振動検出手段と、前記振動検出手段が検出した弾性波振動を示す態様と予め定められた弾性波振動の態様の範囲とを比較する比較手段とを備え、前記制御手段が前記給排水ポンプの動作を開始した後、前記比較手段によって前記振動検出手段が検出した態様が前記定められた弾性波振動の態様の範囲外となったと判定されたとき、前記制御手段は、前記給排水ポンプの動作を停止することを特徴とする。
【０００８】
第１の本発明によれば、給排水ポンプの動作が開始した後、振動検出手段が検出した態様が定められた弾性波振動の態様の範囲外となったと比較手段によって判定された場合、給排水ポンプの動作が停止される。これにより、正規でない弾性波振動を発生させている給排水ポンプの動作を停止することができ、給排水ポンプに故障が生じるおそれなどの解消を図ることが可能となる。
【０００９】
第１の本発明において、前記振動検出手段が検出した弾性波振動を示す態様と予め定められた正常な弾性波振動の態様の範囲とを比較する正常比較手段と、異常を報知する報知手段とを備え、前記正常比較手段によって前記振動検出手段が検出した弾性波振動の態様が前記予め定められた正常な弾性波振動の態様の範囲外であると判定されたとき、前記報知手段は前記異常を報知することが好ましい。
【００１０】
この場合、振動発生源が異常な弾性波振動を発生させている場合、異常が報知されることにより、その旨を使用者などに知らせることが可能となる。
【００１１】
例えば、前記振動発生源は前記洗浄槽内に乾燥用空気を送風する乾燥ファンを含み、前記制御手段が前記乾燥ファンの動作を開始した後、前記正常比較手段によって前記振動検出手段が検出した弾性波振動の態様が前記乾燥ファンに対応して予め定められた正常な弾性波振動の態様の範囲外であると判定されたとき、前記報知手段は前記異常を報知する。
【００１２】
また、例えば、前記振動発生源は、前記洗浄槽内に前記洗浄水を供給する給水管に設けられ、前記給水管を開閉可能な給水弁を含み、前記制御手段が前記給水弁の開状態に動作をした後、前記比較手段によって前記振動検出手段が検出した弾性波振動の態様が前記給水弁に対応して予め定められた正常な弾性波振動の態様の範囲外であると判定されたとき、前記報知手段は前記異常を報知する。
【００１３】
また、例えば、前記洗浄ノズルは前記給排水ポンプから洗浄水を供給されることにより、前記洗浄水を噴射しながら回転するように構成されており、前記正常比較手段によって前記振動検出手段が検出した態様が前記洗浄ノズルに対応して予め定められた正常な弾性波振動の態様の範囲外であると判定されたとき、前記報知手段は前記異常を報知する。
【００１４】
これらの場合、乾燥ファン、給水弁、洗浄ノズルの動作によって異常な弾性波振動を発生させている場合、異常が報知されることにより、その旨を使用者などに知らせることが可能となる。
【００１５】
さらに、第１の本発明において、前記制御手段が１の前記振動発生源と他の前記振動発生源の動作を同時に開始しないことが好ましい。
【００１６】
この場合、異常な弾性波振動を発生させている１の振動発生源を特定することが可能となる。
【００１７】
第２の本発明は、食器類を収容する洗浄槽と、前記洗浄槽内にて洗浄水を噴射する洗浄ノズルと、複数の振動発生源と、前記振動発生源の動作を制御する制御手段と、前記振動発生源の動作に応じて生じる弾性波振動を検出する振動検出手段と、前記振動検出手段が検出した弾性波振動に応じて前記振動発生源が動作していると判断する動作判断手段とを備え、前記制御手段は、前記複数の振動発生源の動作を１つずつ開始し、前記動作判断手段が前記振動検出手段が検出した弾性波振動に応じて動作開始したとされる振動発生源が動作しているか否か判断することを特徴とする。
【００１８】
第２の本発明によれば、動作を１つずつ開始した各振動発生源が実際に動作しているか否かを、振動検出手段が検出した弾性波振動に応じて判断する。これにより、１の振動検出手段によって複数の振動発生源が実際に動作しているか否か判断できるので、複数の振動発生源にそれぞれ対応させた振動検出手段を設ける必要がない。
【図面の簡単な説明】
【００１９】
【図１】本発明の一実施形態の食器洗浄機の概略構成図。
【図２】本実施形態の制御部の機能的構成を示すブロック図。
【発明を実施するための形態】
【００２０】
本発明の一実施形態を図面に基づいて説明する。本実施形態の食器洗浄機１は、図１に示すように、筐体２と、筐体２の内部に収容された洗浄槽３とを備えている。食器洗浄機１は、ビルトインタイプであり、筐体２がシステムキッチンに組み込まれた状態で設置される。
【００２１】
洗浄槽３は、前面パネル４の取っ手部５を把持して筐体２から引き出すことができるようになっている。前面パネル４の取っ手部５の近傍には、操作スイッチ類６や運転状態を表するための表示器７等が設けられている。前面パネル４と洗浄槽３との間のスペースには、洗浄運転を制御する洗浄コントローラ８やブザー９が設けられている。表示器７及びブザー９は、必要に応じて本発明の報知手段として利用される。
【００２２】
洗浄槽３は、上面が開放されており、筐体２内部に位置しているときには上面が蓋板部１０によって閉塞される。蓋板部１０はシール部材１１を備えている。蓋板部１０により洗浄槽３を閉塞したとき、シール部材１１が洗浄槽３の上縁に密着して水密な閉塞状態を形成する。蓋板部１０は筐体２の天面に設けられており、筐体２からの洗浄槽３の引き出し動作に伴って洗浄槽３から離反する。
【００２３】
洗浄槽３は、筐体２から引き出されることにより開放された上面から食器類Ｗの出し入れが行われる。洗浄槽３の内部には、食器類Ｗを支持する食器かご１２と、食器類Ｗに向かって洗浄水を噴出させる洗浄ノズル１３とが設けられている。
【００２４】
洗浄槽３の底部には、残菜フィルタ１４を介して洗浄槽３内に連通する洗浄水の溜り部１５が設けられている。洗浄槽３の底部下側には、洗浄・排水ポンプ１６（給排水ポンプ）が設けられている。洗浄槽３の背面側には、洗浄槽３内の食器類Ｗを乾燥させるための乾燥用空気を導入する吸気ダクト１７及び乾燥ファン１８が設けられている。
【００２５】
洗浄・排水ポンプ１６は、正転作動時は溜り部１５の洗浄水を吸引して洗浄ノズル１３に洗浄水を圧送し、逆転作動時には溜り部１５の洗浄水を残菜フィルタ１４及び排水管２０を介して排出する。また、洗浄槽３には、給水電磁弁２１（給水弁）を備える給水管２２が接続されている。
【００２６】
洗浄ノズル１３は、複数の噴出口を備えて水平方向に長手の第１ノズル部１３ａと、第１ノズル部１３ａの長手方向中央部に立設されて複数の噴出口を備える第２ノズル部１３ｂとにより構成されている。
【００２７】
給水管２２からの給水が行われ、洗浄・排水ポンプ１６から洗浄ノズル１３に洗浄水が供給されると、第１ノズル部１３ａは洗浄水の噴出反力によって回転し、第２ノズル部１３ｂは第１ノズル部１３ａと一体に回転する。このとき、回転する洗浄ノズル１３から洗浄水が放射状に噴出され、食器類Ｗに当たって食器類Ｗの洗浄が行われる。
【００２８】
洗浄が終了すると、洗浄・排水ポンプ１６によって、洗浄槽３からの排水が行われ、その後、乾燥ファン１８が駆動され、吸気ダクト１７を通って洗浄槽３に送り込まれる乾燥用空気によって食器類Ｗの乾燥が行われる。
【００２９】
洗浄・排水ポンプ１６、乾燥ファン１８及び給水電磁弁２１は、電力を供給されて動作する機器からなる電動負荷であり、本発明の振動発生源に相当する。
【００３０】
また、洗浄槽３又は洗浄槽３に機械的に接続されている洗浄槽３設置用の箱体（不図示）に振動センサ２４が設けられている。振動センサ２４は、本発明の振動検出手段に相当し、洗浄槽３に生じる弾性波振動（以下、単に振動という）の態様を検出する。なお、洗浄槽３は、食器かご１２、洗浄ノズル１３などとは独立して構成されており、例えば食器かご１２に収容された食器類Ｗの量Ｍ、洗浄ノズル１３の回転などによって、洗浄槽３の振動の態様が直接的には影響を受けないように構成されている。
【００３１】
振動センサ２４は、洗浄槽３の振動の態様を検出することができればよく、例えば、各種形式の振動センサ、加速度センサ、圧力センサ、音量センサなどを用いればよい。振動センサ２４は、洗浄槽３の振動の態様を良好に検出できるように、洗浄槽３自体に設けることが最も好ましいが、配線などを考慮して、上述の洗浄槽３設置用の箱体の側面や洗浄コントローラ８などに設けてもよい。ただし、振動センサ２４は、なるべく洗浄槽３の振動が伝達しやすく、且つ他の構成部材が発生する振動が伝達し難い場所に設けることが好ましい。
【００３２】
振動の態様には、振動の振動数、周期、振幅及びこれらの組み合わせ、発散、収束、周期変化等の変動などが含まれる。
【００３３】
洗浄コントローラ８は、図２に示すように、給水電磁弁２１を制御する弁制御部２５、洗浄・排水ポンプ１６を制御するポンプ制御部２６、乾燥ファン１８を制御するファン制御部２７、表示器７やブザー９を制御する報知制御部２８、及び各種情報を記憶する記憶部２９を機能として備えている。弁制御部２５、ポンプ制御部２６及びファン制御部２７は、本発明の制御手段に相当する。
【００３４】
さらに、洗浄コントローラ８には、機能として、解析部３０、比較部３１（比較手段）、正常比較部３２（正常比較手段）及び動作判断部３３（動作判断手段）が設けられている。
【００３５】
解析部３０は、振動センサ２４が検出した振動を示すデータを解析して、振動の態様を抽出する。解析部３０は、データから、例えば、振動の振動数、周期、振幅、及びこれらの時間経過に伴う変化、発散、収束などが生じているか否か、又は振動そのものが生じているか否かなどを抽出する。
【００３６】
比較部３１は、解析部３０が抽出した振動の態様が記憶部２９に予め記録されている振動の態様範囲内である否かを比較する。正常比較部３２は、解析部３０が抽出した振動の態様が記憶部２９に予め記録されている正常な振動の態様の範囲内である否かを比較する。
【００３７】
動作判断部３３は、解析部３０が抽出した振動の態様に応じて、洗浄・排水ポンプ１６、乾燥ファン１８、給水電磁弁２１等の振動発生源が動作しているか否かを判断する。
【００３８】
次に、本実施形態の食器洗浄機１を用いた排水工程について説明する。
【００３９】
洗浄水による洗浄槽３内の食器類Ｗの洗浄が完了した後、洗浄コントローラ８は、ポンプ制御部２６により洗浄・排水ポンプ１６を逆転で運転して、排水を開始する。排水が開始されると、洗浄・排水ポンプ１６の運転により洗浄槽３に振動が発生し、さらに排水が進むにつれて洗浄槽３内の水量が低下し、排水の完了に伴い振動センサ２４が検出する振動の振動振幅Ａｐが大きくなる。
【００４０】
そして、この振動振幅Ａｐが、記憶部２９に記憶されている洗浄槽３内の排水が完了した場合における振動振幅として予め定められた振動振幅Ａｐ０に達したとき、洗浄コントローラ８は、ポンプ制御部２６により洗浄・排水ポンプ１６の運転を停止して、排水工程が完了する。これにより、排水が完了しているにもかかわらず、洗浄・排水ポンプ１６が空回りすることによる騒音や故障が発生するおそれを解消することが可能となる。
【００４１】
次に、本実施形態の食器洗浄機１を用いた乾燥工程について説明する。
【００４２】
排水工程が完了した後、洗浄コントローラ８は、ポンプ制御部２６により洗浄・排水ポンプ１６の運転を停止し、ファン制御部２７により乾燥ファン１８の運転を開始する。乾燥ファン１８の運転が開始されると、洗浄槽３に乾燥ファン１８の回転による振動が生じる。
【００４３】
そして、この振動を振動センサ２４が検出し、これを解析部３０が解析して抽出した振幅Ａｆが、記憶部２９に予め記憶されている乾燥ファン１８が正常に回転すれば生じ得る最大振幅として予め定められた振幅Ａｆ０を超えるとき、洗浄コントローラ８は、ファン制御部２７により乾燥ファン１８を運転を停止させると共に、報知制御部２８に指示して乾燥ファン１８が不適切な動作をしている旨の報知を表示器７やブザー９にて行わせる。これにより、乾燥ファン１８など経年劣化しており、メンテナンスの必要があることを使用者に知らせることが可能となる。
【００４４】
なお、個々の食器洗浄機１の特性の相違などを考慮して、食器洗浄機１が設置されて初めて排水工程や乾燥工程を行ったときに解析部３０が抽出した最大振幅Ａｐ０，Ａｆ０を記憶部２９に記憶しておき、その後に乾燥工程を行ったときに解析部３０が抽出した振幅Ａｐ，Ａｆが振幅Ａｐ０，Ａｆ０に比較して予め記憶されている余裕度を超えた場合に、洗浄・排水ポンプ１６や乾燥ファン１８が不適切な動作をしていると報知するものであってもよい。
【００４５】
また、排水工程における振動を解析部３０が抽出した振幅Ａｐが、記憶部２９に予め記憶されている洗浄・排水ポンプ１６が運転する場合に生じ得ない最小振幅として予め定められた振幅Ａｐ１未満であるとき、又は解析部３０で振動を抽出されなかった場合、洗浄コントローラ８は、ポンプ制御部２６により洗浄・排水ポンプ１６を運転を停止させると共に、報知制御部２８に指示して洗浄・排水ポンプ１６が故障している旨の報知を表示器７やブザー９にて行わせる。これにより、洗浄・排水ポンプ１６が動作させずに故障していることを使用者に知らせることが可能となる。
【００４６】
また、乾燥工程における振動を解析部３０が抽出した振幅Ａｆが、記憶部２９に予め記憶されている乾燥ファン１８が正常に回転すれば生じ得ない最小振幅として予め定められた振幅Ａｆ１未満であるとき、又は解析部３０で振動を抽出されなかった場合、洗浄コントローラ８は、ファン制御部２７により乾燥ファン１８を運転を停止させると共に、報知制御部２８に指示して乾燥ファン１８が故障している旨の報知を表示器７やブザー９にて行わせる。これにより、乾燥ファン１８が動作させずに故障していることを使用者に知らせることが可能となる。
【００４７】
次に、本実施形態の食器洗浄機１を用いた給水工程について説明する。
【００４８】
給水工程において、最初、洗浄コントローラ８は、弁制御部２５により給水電磁弁２１を開き、洗浄槽３内への水道水の給水を開始する。給水電磁弁２１が開いたとき、洗浄槽３に一時的に振動が生じる。
【００４９】
そして、この振動を振動センサ２４が検出し、これを解析部３０が解析して抽出した振幅Ａｖが、記憶部２９に予め記憶されている給水電磁弁２１を開いてから短時間の間に生じ得る最小振幅として予め定められた振幅Ａｖ０未満であるとき、又は振動センサ２４が振動を検出しなかった場合、洗浄コントローラ８は、報知制御部２８に指示して給水電磁弁２１が故障している旨の報知を表示器７やブザー９にて行わせる。これにより、給水電磁弁２１の故障を使用者に知らせることが可能となる。
【００５０】
次に、本実施形態の食器洗浄機１を用いた洗浄工程について説明する。
【００５１】
給水工程が完了した後、洗浄コントローラ８は、ポンプ制御部２６により洗浄・排水ポンプ１６を運転開始して洗浄ノズル１３に洗浄水を供給させる。洗浄ノズル１３に洗浄水の供給が開始されると、洗浄ノズル１３が回転しながら洗浄水を噴射するので、洗浄槽３内に収容された食器類Ｗ間の隙間などを介して、洗浄水が洗浄槽３に衝突して洗浄槽３に周期的な振動が生じる。
【００５２】
そして、この振動を振動センサ２４が検出し、これを解析部３０が解析して抽出した振動数ｆが、記憶部２９に予め記憶されている洗浄ノズル１３に回転に応じて洗浄槽３に衝突して生じ得る振動数の範囲として予め定められた振動数の範囲外であるとき、洗浄コントローラ８は、ポンプ制御部２６により洗浄・排水ポンプ１６を停止させると共に、報知制御部２８に指示して洗浄ノズル１３が不適切な動作をしている旨の報知を表示器７やブザー９にて行わせる。これにより、洗浄ノズル１３などが故障していたり、食器類Ｗと引っ掛かって回転できずにいることを使用者に知らせることが可能となる。
【００５３】
また、上記洗浄ノズル１３の回転による振動の振幅Ａｎを、記憶部２９に予め記憶されている食器類Ｗの多寡及びこれに応じた振幅Ａｎ０との組み合わせと参照して、食器類Ｗの多寡を推定することも可能である。これにより、食器類Ｗの多寡に応じて、洗浄工程の時間を適宜なものに変更することなどが可能となる。
【００５４】
以上説明したように、本実施形態の食器洗浄装置１においては、排水工程、乾燥工程、給水工程及び洗浄工程の各工程において、正規でない振動を洗浄槽３に生じさせている１の振動発生源を特定している。これは、これら工程において、洗浄槽３に振動を生じさせる振動発生源がそれぞれ１つであることに基づいている。
【００５５】
次に、本実施形態の食器洗浄機１を用いた動作判断工程について説明する。動作判断工程は、前述した排水工程、給水工程、乾燥工程の各工程において最初に実施される。
【００５６】
排水工程においては、ポンプ制御部２６により洗浄・排水ポンプ１６を逆回転で運転するように指示がなされる。このとき、洗浄・排水ポンプ１６を駆動する駆動回路に異常等が発生していると、運転指示が出ているにも関わらず洗浄・排水ポンプ１６が運転を開始せず、本来発生するはずの振動が生じない。動作判断部３３は、ポンプ制御部２６による運転指示があったにも関わらず洗浄・排水ポンプ１６による振動を検知しない場合、排水工程での振動発生源である洗浄・排水ポンプ１６が動作しておらず、その駆動回路に異常が発生していると判断する。
【００５７】
同様に、給水工程においては給水電磁弁２１について、乾燥工程においては乾燥ファン１８について、振動発生源が動作しているか否かを各工程順に判断することにより、それぞれの駆動回路に異常が発生しているか否かを判断する。
【００５８】
以上、本発明の実施形態について説明したが、本発明はこれに限定されない。例えば、ある工程において、洗浄槽３に振動を生じさせる振動発生源が複数存在する場合、これらの振動発生源が生じさせる振動の態様に応じて、フーリエ変換などの手法によって振動を複数の振動に分離させることなども必要に応じて行うことにより、正規でない振動を生じさせている振動発生源を特定してもよい。
【００５９】
また、実施形態においては、洗浄ポンプと排水ポンプとの双方の機能を有する洗浄・排水ポンプ１６を備える場合について説明したが、洗浄ポンプと排水ポンプとを別個に構成し、これらの故障などの検出を個別に行ってもよい。
【００６０】
さらに、振動センサ２４は洗浄槽３の振動の態様を検出する場合について説明したが、これに代えて、又はこれに加えて、乾燥ファン１８、排水管２０、給水管２２などの振動の態様を検出する振動センサを設け、これにより、乾燥ファン１８、洗浄・排水ポンプ１６、給水電磁弁２１などの故障などを検知するものであってもよい。
【符号の説明】
【００６１】
１…食器洗浄機（食器洗浄装置）、  ２…筐体、  ３…洗浄槽、  ７…表示器（報知手段）、  ８…洗浄コントローラ、  ９…ブザー（報知手段）、  １２…食器かご、  １３…洗浄ノズル、  １６…洗浄・排水ポンプ（給排水ポンプ、振動発生源）、  １７…吸気ダクト、  １８…乾燥ファン（振動発生源）、  ２０…排水管、  ２１…給水電磁弁（給水弁、振動発生源）、  ２２…給水管、  ２４…振動センサ（振動検出手段）、  ２５…弁制御部（制御手段）、  ２６…ポンプ制御部（制御手段）、  ２７…ファン制御部（制御手段）、  ２８…報知制御部、  ２９…記憶部、  ３０…解析部、  ３１…比較部（比較手段）、  ３２…正常比較部（正常比較手段）、  ３３…動作判断部（動作判断手段）、  Ｗ…食器類。 
【図１】
2018175310.tif 000003
【図２】
2018175310.tif 000004